(57)【要約】【課題】上記課題に鑑みてなされたものであり、雨水を貯留し、不純物等を沈殿させ、さらに濾過するとともに渟水を防ぎ、良質の水を備蓄可能な雨水貯留装置を提供することである。【解決手段】雨水を貯留し前記雨水が含む不純物を沈殿させる貯留・沈殿槽と、前記貯留・沈殿槽の水を受け入れて濾過する濾過槽と、前記貯留・沈殿槽内の水位が所定位置よりも上昇したとき、前記貯留・沈殿槽内の水をサイフォン現象で外部に排出する第１の排出手段と、前記濾過槽内の水位が所定位置よりも上昇したとき、前記濾過槽内の水をサイフォン現象で外部に排出する第２の排出手段と、を有し、前記第１の排出手段の吸入口を、前記貯留・沈殿槽内に沈殿する不純物の位置に設けたことを特徴とする。【選択図】図１
2013104211.tif 000002
【特許請求の範囲】
【請求項１】
雨水を貯留し前記雨水が含む不純物を沈殿させる貯留・沈殿槽と、
前記貯留・沈殿槽の水を受け入れて濾過する濾過槽と、
前記貯留・沈殿槽内の水位が所定位置よりも上昇したとき、前記貯留・沈殿槽内の水をサイフォン現象で外部に排出する第１の排出手段と、
前記濾過槽内の水位が所定位置よりも上昇したとき、前記濾過槽内の水をサイフォン現象で外部に排出する第２の排出手段と、
を有し、
前記第１の排出手段の吸入口を、前記貯留・沈殿槽内に沈殿する不純物の位置に設けた
ことを特徴とする雨水貯留装置。
【請求項２】
前記貯留・沈殿槽と前記濾過槽とを並列配置したことを特徴とする請求項１に記載の雨水貯留装置。
【請求項３】
前記貯留・沈殿槽を上にして、前記貯留・沈殿槽と前記濾過槽とを直列配置したことを特徴とする請求項１に記載の雨水貯留装置。
【発明の詳細な説明】
【技術分野】
【０００１】
本発明は、雨水を貯留して濾過する雨水貯留装置に関する。
【背景技術】
【０００２】
近年、東京を初めとする巨大都市ばかりか地方の中規模都市にも高層共同住宅が建設されている。しかし、今回の「東日本大震災」でも明らかに成った様に、日本の電力供給が如何に不安定な状態であるかが分かった。加えて、「東海・東南海・南海地震の同時発生」や「首都圏直下形地震」が叫ばれているが、若し、これが現実なものとして発生したら、停電や断水が起こることは必定であろう。
【０００３】
行政や地震対策を叫ぶ学者達は「3日間の飲料水と食料の備蓄を」と呼び掛けているが、その3日後の飲料水の入手は如何(どう)するのであろうかと疑問を感じないでは居られない。高層共同住宅に居住している人々は、福島第一原発の事故を体感する以前は、普段何の疑いもなく使用していたエレベーターだが、以後はその停止の不安を感じているものと推察する。実際に停電と同時に断水が発生したら毎日その階から地上に下りて水を貰い受け、また高層階まで担ぎ上げなければならないだろう。その行為は健常者にとっても「苦痛以外の何物でもないだろうと」推察する。況してや、足に障碍の有る人や高齢者にとっては耐えられない行為であろう。
【０００４】
これに対し、特許文献１や特許文献２では、雨水の貯留、利用について提案している。
【先行技術文献】
【特許文献】
【０００５】
【特許文献１】特開平１１−１２８６２２号公報
【特許文献２】特開２００２−１６７８１３号公報
【発明の概要】
【発明が解決しようとする課題】
【０００６】
しかし、雨水には思いの外不純物が含まれているのでそれを濾過して除去しなければならない上、沈殿した不純物を自然の力で排出すること、貯留された水に虫を侵入させないこと、光合成に因る藻の発生を防ぐこと、渟水（例えば水が長期間に亘って滞留すること）を起こさせないこと、高層階に設置した貯水槽や濾過槽が地震に因り飛翔し、二次災害を起こさせないことを念頭に置き、工夫が必要である。
【０００７】
ところが、特許文献１や特許文献２では、特に、渟水の問題については、何ら検討されていないものであった。
【０００８】
出願人は、高層共同住宅の各階層に住む個人所有者、賃借者を問わず、個々のベランダを利用して、各々、夫々の人が、「雨水貯留・沈殿槽」及び「雨水濾過槽」を設置し、雨水を直接的に利用出来る様にとの思いで、本発明に至った。
【０００９】
本発明は、上記課題に鑑みてなされたものであり、雨水を貯留し、不純物等を沈殿させ、さらに濾過するとともに渟水を防ぎ、良質の水を備蓄可能な雨水貯留装置を提供することを目的とする。
【課題を解決するための手段】
【００１０】
上記課題を解決するために、本発明は、雨水を貯留し前記雨水が含む不純物を沈殿させる貯留・沈殿槽と、前記貯留・沈殿槽の水を受け入れて濾過する濾過槽と、前記貯留・沈殿槽内の水位が所定位置よりも上昇したとき、前記貯留・沈殿槽内の水をサイフォン現象で外部に排出する第１の排出手段と、前記濾過槽内の水位が所定位置よりも上昇したとき、前記濾過槽内の水を自然流下で外部に排出する第２の排出手段と、を有し、前記第１の排出手段の吸入口を、前記貯留・沈殿槽内に沈殿する不純物の位置に設けたことを特徴とする。
【発明の効果】
【００１１】
本発明によれば、雨水を貯留し、不純物等を沈殿させ、さらに濾過するとともに渟水を防ぎ、良質の水を備蓄可能な雨水貯留装置を提供することができる。
【図面の簡単な説明】
【００１２】
【図１】本発明による雨水貯留装置の一実施の形態を示す平面図である。
【図２】図１に示した雨水貯留装置の正面図である。
【図３】本発明による雨水貯留装置の別の実施の形態の平面図であり、縦置きである「貯留・沈殿槽」１１０と「濾過槽」１６０とを見やすさのため、上下において示す図である。
【図４】図３に示した雨水貯留装置を縦置きにしての正面図である。
【発明を実施するための形態】
【００１３】
以下、本発明の実施の形態を図面に基づいて説明する。
【００１４】
雨水貯留装置の課題として、貯留された水が長期に亘り使用されないと渟水を起こすおそれが有る点、また雨水に含まれている不純物も底部に設けた排水口を開放し、人為的に排出しなければならない点が挙げられる。従来、この問題は、特に、多層階住宅に於いて、下層居住者に不快感を与えることになり、不向きに思われる。
【００１５】
図１は、本発明による雨水貯留装置の一実施の形態を示す平面図である。また図２は、図１に示した雨水貯留装置の正面図である。図１および図２では、内部構造が見えるように、外壁を切り欠いて見せている。この図１および図２の例では、「貯留・沈殿槽」１１０と「濾過槽」１６０とを並列配置している。「貯留・沈殿槽」１１０および「濾過槽」１６０のそれぞれは、例えば、直径５０ｃｍ、高さ７０ｃｍ程度の蓋付きのポリ容器で構成することができる。これらの容器、蓋はすべて内部を遮光する。
【００１６】
本発明の雨水貯留装置１００に於ける雨水貯留方式は、通常の雨に於いては、降雨と共に縦樋に流れ下る雨水の全量を導入管で「貯留・沈殿槽」１１０に導き、水面が上昇し、それに伴い常水面以上の水は「送水管(1)」１１１で「濾過槽」１６０に送られるが、やや強い雨が降ると、「沈澱物排出管」１１２からも貯留水が吸入され、「放流管(1)」１１３を通じて別系統でも放流させることが出来る。更に強い雨が降ると、水面は上昇し「放流管(1)」１１３の中の空気が滅失しサイフォン現象が発生する。そのとき、容器内底（「貯留・沈殿槽」１１０の底）に沈殿した汚泥も激しい勢いで吸い込み、容器（「貯留・沈殿槽」１１０）の外へ排出させることが出来る。これは自然現象の一環であるから、下層階の居住者に不快感を起こさせないばかりか、この装置（雨水貯留装置１００）が役目を果たしている限り、容器（「貯留・沈殿槽」１１０）内の清掃等に手を付ける必要は無い。只、このサイフォン現象を放置すると容器内の水の大方が失われてしまうので、「放流管(1)」１１３の適当な高さに空気孔１１４を設けてその現象を止める必要がある。それが、サイフォン停止水面の空気孔１１４である。
【００１７】
また、豪雨の時は、「放流管(1)」１１３及び、「濾過槽」１６０を介しての放流量を超えるので、容器（「貯留・沈殿槽」１１０）の上縁１１６より溢水させるのが最善であるゆえ、容器（「貯留・沈殿槽」１１０）上縁１１６とその蓋１１５との間には適当な空隙が必要である。しかし、そこには水を求めて侵入して来る虫を防ぐ為の虫除けの「多毛材」１１７を貼り付けるのが好ましい。蓋１１５のほぼ中央には「雨水導入管」１１８が貫通しており、この「雨水導入管」１１８を介して、雨水が「貯留・沈殿槽」１１０内に流れ込む。
【００１８】
なお、強雨及び豪雨の時、「雨水導入管」１１８より「貯留・沈殿槽」１１０内に流入した水が、容器底に溜まった沈殿物への影響を極力緩和させることを目的として、「雨水導入管」１１８の下部には「流勢緩和籠１１９」を取付ける。また、容器の底１２０は中央部を高くし、貯留水内の不純物が周辺部に円滑に移動しやすい様に底面には凹みを設けない。
【００１９】
「沈殿物吸入管」１２１はその「端末」１２２を塞ぎ、適当な間隔で「沈殿物吸入口」１２３を設け、沈殿域全体より平均的に吸入出来る様にする。また「沈澱物吸入管」１２１は横引なる故、設置時に管内の空気に拠る浮力を抑えること、及び以後の底部への居つきを良くする目的で「吸入管押え」１２４を適当に配置する。
【００２０】
「濾過槽」１６０へ水を送る「吸入管」１２５の給水口は渟水を作らない為に下部に設け、「濾過槽」１６０へ水を送る「送水管(1)」１１１の高さは「放流管(1)」１１３の横引管の高さより若干下げることに拠り、平常時の降雨では「濾過槽」１６０にのみ水を送ることが出来る。
【００２１】
また、「貯留・沈殿槽」１１０を「濾過槽」１６０と並列配置する場合、「貯留・沈殿槽」１１０より直接貯流水を取出す必要があるので、容器（「貯留・沈殿槽」１１０）下部に「雨水取出水栓」１２６を設ける。この場合容器内の貯留水には水圧が無いので、固定コマ水栓かコック（活栓）を用いる必要がある。
【００２２】
以下、「濾過槽」１６０の構造について説明する。
【００２３】
この「濾過槽」１６０の構造を説明すると、容器は「貯留・沈殿槽」１１０とほぼ同形と考えて良いが、「貯留・沈殿槽」１１０との違いは、容器底の水の流れを中央に集めたい点にある。従って、容器底全体を平面にするか、底央をやや凹面にするかの必要がある。
【００２４】
先ずは、「濾過槽」１６０において、「貯留・沈殿槽」１１０の「雨水取出水栓」１２６と同じ位置に、濾過水を取り出す固定コマ水栓やコックなどの「取出水栓」１６２を取り付け、次に「異径管」１６３の太管の部分に釣鐘形の穴を適当に開け、その穴が「吸水口」１６５になるように容器中央に伏せ、其の上部の細管に適合した「異径ソケット」１６４を更に組み合わせ、サイフォン現象防止の為の「空気孔」１６６を持った「送水管(2)」１６７を「異径ソケット」１６４に接続し、「取出水栓」１６２に固定の「バルブソケット」１６８の下部まで綺麗に水で洗浄された（瀘材は全て綺麗に水で洗浄された物を使用するので以後この説明は省く）川砂利（粒度3mm〜25mm）を敷き詰めて「川砂利層」１６９を形成し、集水の為の「網目管」１７０（商品名「プラスチックメッシュパイプ」）を其の「バルブソケット」１６７に接続させ、更に其の網目管と直角方向に適当な間隔で容器の外周に見合った長さの「網目管」１７０を配置する。この目的は「濾過槽」１６０内の水を広い範囲から集めることと、且つ速やかに取出す為である。そして、其の「網目管」１７０のズレや変形を防ぐ様に更に「川砂利層」１６９で「網目管」１７０を包む様に嵩上げする。
【００２５】
その上に上部層の濾過材が下部層に混入することを防止する目的の「隔異濾材（イ）」１７１を敷き、この場合「隔異濾材（イ）」１７１は中央に縦管に見合った穴の有るシートであり、以後これを有穴隔異瀘材とも言う。
【００２６】
この「有穴隔異瀘材」１７１の上には、楔形に切断破砕された木炭の切片を適当な高さまで敷き詰める。この「木炭層」１７２を敷く目的は、木炭が持つ微小且つ多孔の穴に水の匂い成分を吸着させることである。従って、この層を通過させることに拠り、無味無臭の水が得られることになる。故に、この層では、この木炭と水との接触面が多く成る様に木炭を数センチの長さに切断し、年輪方向と直角に鏨で破砕し楔形に加工した物を使用する。
【００２７】
その上に上述の有穴隔異瀘材と同様の「隔異瀘材（ロ）」１７３を敷き、さらにその上に小粒砂利（粒度5mm〜12mm）を敷き、「小粒砂利層」１７４を形成する。
【００２８】
例えば酸性雨のように還元が必要な場合、この「小粒砂利層」１７４を、大理石等の石灰岩質で形成することによって、中和が可能な場合がある。
【００２９】
その上に上述の有穴隔異瀘材と同様の「隔異瀘材（ハ）」１７５を敷き、さらにその上にビリ（商品名＝天竜の川砂利）（粒度2mm〜9mm）を敷き、「ビリ層」１７６を形成する。
【００３０】
その上に上述の有穴隔異瀘材と同様の「無穴隔異瀘材（ニ）」１７７を敷き、粗砂（川砂）（粒度0.5mm〜5mm）を「放流管(2)」１８５に取り付けた「バルブソケット」１７９の下部まで敷いて「粗砂層」１７８を形成し、縦管に「送水管(2)」１６７の曲管を取付け「送水管(2)」１６７を横引し「バルブソケット」１７９に接続させ、更に粗砂を「横引送水管(2)」１８０が充分隠れる程度まで敷く。
【００３１】
その上に上述の有穴隔異瀘材と同様の「隔異瀘材（ホ）」１８１を敷き、細砂（珪砂＝石英）（粒度0.5mm）を適当な厚さに敷いて「細砂層」１８２を形成し、さらにその上に「最上瀘材」１８３を敷き、濾材を押さえる重石の役割を兼ねた「多孔拡散板」１８４を載せ、槽内は完成する。「多孔拡散板」１８４は、例えば薄い円板状のステンレス製或いはプラスチック製で、複数の孔を開けたものを用いる。
【００３２】
尚、隔異瀘材に強度が必要な面にはプラスチック網を用いるのが最適であり、微小瀘材の下部層への混入を防ぐには、ポリエステル不織布が水で溶解することもなく最適である。
【００３３】
次に、図１および図２に示した並列配置の場合の使用方法及び水の流れについて説明する。
【００３４】
先ず、「濾過槽」１６０の「放流管(2)」１８５の「止水弁」１８６は常時は開放にして置く。
【００３５】
「貯留・沈殿槽」１１０から「送水管(1)」１１１によって「濾過槽」１６０へと送られて来た水は「多孔拡散板」１８４の上に放流される。この「多孔拡散板」１８４は「細砂層」１８２の表面全体に広く水を拡散させることを目的とする。
【００３６】
「細砂層」１８２及び「粗砂層」１７８に取り込まれた水は重力では殆んど移動しないことが実験の結果分かった。従って、特定の流路を作らせない様にと考えた。そうすれば水は「細砂層」１８２全域を通過し幾筋かの流れの中で、雨水の中の微粒物が細砂の表面に付着することが期待できる。
【００３７】
また、下部の「粗砂層」１７８は更にそれを補うことが期待出来る。そして「ビリ層」１７６、「小粒砂利層」１７４の中に30％〜40％の水が留保されるが、これは潜水（濾過材の中に留保された水）と考えて差支えがない。「木炭層」１７２に於いても50％の水が留保されるが、遮光された水は光合成が起きないので藻類の発生はない。従って、これらの水は貯留水の一部となる。
【００３８】
また、上層の砂層内に取込まれた水は重力では移動しない故、「放流管(2)」１８５の「止水弁」１８６が開放されていると、「止水弁」１８６を介して「横引送水管(2)」１８０に空気が入り、その「空気孔」１６６を通じて「濾過槽」１６０内下部に直接に空気が取込まれる結果となり、「濾過水取出水栓」１６２からの水の取出しがより円滑なる。
【００３９】
断水が発生した非常時には「濾過槽」１６０の「止水弁」１８６を止め、「濾過槽」１６０の「蓋」１８７を開け、隣の「貯留・沈殿槽」１１０の「雨水取出水栓」１２６より得た水を「多孔拡散板」１８４の上に静かに放流し「濾過槽」１６０に充分に水を溜めてから使用するのがよい。
【００４０】
「濾過槽」１６０とその蓋１８７との間には、水を求めて侵入して来る虫を防ぐ為の虫除けの「多毛材」１８８を貼り付けるのが好ましい。
【００４１】
ところで、濾紙（「濾材」１８３）の交換はその汚れ具合を見て判断するのが良いが、月に１度程度の交換を行うのが望ましい。
【００４２】
また、「細砂層」１８２の洗浄は半年に1度位の割合で掬い出し、「自宅厨房の流し」で米を研ぐ要領で不純物を洗い流し、元の色（例えば白色細砂を用いた場合には、その白色）に戻ったかを視認し再使用する。
【００４３】
また、「粗砂層」１７８の洗浄は数年に１度の割合で掬い出し、「自宅厨房の流し」で米を研ぐ要領で不純物を洗い流すのが望ましい。
【００４４】
次に、本発明の別の実施の形態について説明する。
【００４５】
図１に示した雨水貯留装置１００では、「貯留・沈殿槽」１１０と「濾過槽」１６０とを横に並べて並列配置したが、本実施の形態の雨水貯留装置１０１では、「貯留・沈殿槽」１１０を上にし、「濾過槽」１６０を下にして縦に並べて直列配置する。
【００４６】
図３は、本発明による雨水貯留装置の別の実施の形態の平面図であり、縦置きである「貯留・沈殿槽」１１０と「濾過槽」１６０とを見やすさのため、上下において示す図である。また図４は、図３に示した雨水貯留装置を縦置きにしての正面図である。
【００４７】
この実施の形態は、図１および図２の「貯留・沈殿槽」１１０と「濾過槽」１６０とを縦置き（直列型）にした点で相違するものの、他の構造はほぼ同様であるので、同じ参照番号を付して、各構造の詳しい説明は省略する。また、「濾過槽」１６０の濾材についても図１および図２と同様であるので詳しい説明は省略する。
【００４８】
以下に、図３および図４に示した直列配置の場合の使用方法及び水の流れについて説明する。
【００４９】
先ず、上部に設置した「貯留・沈殿槽」１１０の「雨水取出管」１３２の「止水弁(1)」１３３は閉め、下部に設置した「濾過槽」１６０の「放流管(2)」１８５の「止水弁(2)」１８６は開放の状態を確認する。このとき、当然のことながら、「濾過水取出水栓」１６２も閉じておく。
【００５０】
常時の雨に於いては、「雨水導入管」１１８より「貯留・沈殿槽」１１０に入った雨水は「吸入管」１２５の吸水口より「送水管(1)」１１１を通り、「濾過槽」１６０の「給水管」１６１より「多孔拡散板」１８４の上に放流され、「濾過槽」１６０の各濾過層を通過し、濾過槽底部の「吸水口」１６５より飲込まれ「送水管(2)」１６７を通り、「止水弁(2)」１８６を貫け「放流管(2)」１８５より放流される。
【００５１】
強雨に於いては、１系統は上記の水の流れに成るが、上記の系統だけでは処理出来なく成ると、「貯留・沈殿槽」１１０内の水面は上昇し、「沈殿物吸入管」１２１の「吸入口」１２３より水と汚泥を吸い込み、「沈殿物排出管」１３１を通り「放流管(1)」１１３より放流が開始される。
【００５２】
強雨が更に続くと、その水面が上昇し、やがて「放流管（１）」１１３内の空気が滅失しサイフォン現象が発生し、槽内に沈殿した不純物を強力な吸引力で、「沈澱物吸入管」１２１が吸込み、放流口より排出される。このときのサイフォン現象としては、高所に置かれた「貯留・沈殿槽」１１０の水面とベランダ床面との間には相当の落差が有るので、その吸引力はかなりのものが期待できる。
【００５３】
豪雨に於いては、並列型でも説明した通り、「貯留・沈殿槽」１１０の容器上縁より溢水されるが、サイフォン現象に拠る放水量がかなり期待できるので、この直列型の方が、溢水回数は並列設置形よりも少なく成るものと思われる。
【００５４】
「濾過槽」１６０よりの常時の水の取出しは、「濾過槽」１６０内にもかなりの水が留保されているので、通常に飲料水として使用するには不足は無いものと思われる。だが、「濾過槽」１６０内に水が不足した場合、「貯留・沈殿槽」１１０の「雨水取出管」１３２に設けられた「止水弁(1)」１３３を開放し、「送水管(2)」１３４に水を送り補給すれば良い。このとき必要量を確保した後、その「止水弁(1)」１３３の弁を閉めることを忘れないことが肝心である。
【００５５】
断水時は、水の使用頻度が増すので、先ず、「濾過槽」１６０の「放流管(2)」１８５の「止水弁(2)」１８６を閉じ、「濾過槽」１６０の「容器蓋」１８７を開放し、「貯留・沈殿槽」１１０の「止水弁(1)」１３３を開き目視の状態で「最上瀘材」１８３の上端まで水が上がったことを確認し、「止水弁(1)」１３３を閉め、必要に応じてその繰り返しを行うのが望ましい。
【００５６】
その後、雨が降って来たら、「濾過槽」１６０の「止水弁(2)」１８６は直ちに開放し、通常の水の流れに戻す。本発明によれば、少しの降雨でも意外なほどの多くの雨水を取り込むことが可能となる。
【００５７】
次に、各構成の特徴についてさらに詳しく説明する。
（１）「貯留・沈殿槽」１１０
・素材は金属またはプラスッチックで作製するが、プラスチック製の場合表面面に遮光塗料を塗り、貯留水に光合成を起こさせない。
【００５８】
・樋に流れる雨水の全量を取込み、次の濾過槽へ送り込み、渟水を起させない。
【００５９】
・槽内に沈殿された汚泥をサイフォン現象（自然現象）の力により汚泥を排出することができる。従って、装置を人為的に清掃する必要が無い。
（２）「濾過槽」１６０
・隔異瀘材に拠り、各濾過材が混合することが無いので、ぞれぞれの濾過材の持つ特質を充分に発揮させることが出来る。
【００６０】
・隔異濾材に拠り、濾過材が混合することが無いので、分解、再生が容易であり、引越し、移設にも便利ある。
【００６１】
・雨水は、濾過層を通過しながら濾過されるが、降雨の停止と共に層内に潜水として保留され、濾過槽内にも可なりの水を蓄えることが出来る。
【００６２】
・前項の蓄えられた水も、降雨と共に渟水を起すことなく、送水管を貫け、直接槽外に排出されるので、槽内に蓄えられた水は其の都度、新鮮な水に入れ替わる。
【００６３】
・送水管のビリ層部にも通気孔が有るので、その高さでサイフォン現象を停止させる事が出来ると共に、放流管を介して直接ビリ層への空気を送る事も出来る。しかし、「貯留・沈殿槽」の水を人為的に「濾過槽」に移す時は、止水弁を閉めること。また、其の行為を止めた時は、止水弁を開くことが肝要である。
【００６４】
・最上濾過材の位置が人体に対して適した高さ故、濾紙の交換が極めて遣り易い。
【００６５】
・細砂も珪砂（石英の微粒子）を使うことで、珪砂が白色である故その汚染度が視認し易い。
【００６６】
・細砂層が送水管の横引管より上にあり、しかも隔異瀘材で分離されているので、細砂を掬い出して、洗浄が容易である。
【００６７】
以上、本発明を説明したが、本発明は、この説明に限定されるものではなく、本発明の趣旨を逸脱しない範囲で数々の変形および組み合わせが出来ることは勿論である。
【符号の説明】
【００６８】
１００、１０１  雨水貯留装置
１１０  貯留・沈殿槽
１６０  濾過槽
【図１】
2013104211.tif 000003
【図２】
2013104211.tif 000004
【図３】
2013104211.tif 000005
【図４】
2013104211.tif 000006